(57)【要約】【課題】吹き抜け部を有する建物を建築しながら、当該吹き抜け部の所定の設置階に上部梁構造物を設置する建物の建築方法において、狭小・狭隘な吹き抜け部において上部梁構造物を効率良く上方の設置階に設置することができる技術を提供する。【解決手段】吹き抜け部Ｂを有する建物を建築しながら、当該吹き抜け部Ｂの所定の設置階に梁を組み付けた上部梁構造物Ｒ１を設置する建物の建築方法であって、吹き抜け部Ｂにおける設置階よりも下方側で、吹き抜け部Ｂに設置されたフロアクライミング式のタワークレーンＣのベース架台Ｃ３に予め上部梁構造物Ｒ１を取り付ける上部梁構造物取付工程を実行し、吹き抜け部Ｂにおける設置階側で、タワークレーンＣのフロアクライミングにより上昇されたベース架台Ｃ３に取り付けられている上部梁構造物Ｒ１を設置階に移設する上部梁構造物移設工程を実行する。【選択図】図７
2019157532.tif 000002
【特許請求の範囲】
【請求項１】
吹き抜け部を有する建物を建築しながら、当該吹き抜け部の所定の設置階に梁を組み付けた上部梁構造物を設置する建物の建築方法であって、
前記吹き抜け部における前記設置階よりも下方側で、前記吹き抜け部に設置されたフロアクライミング式のタワークレーンのベース架台に予め前記上部梁構造物を取り付ける上部梁構造物取付工程を実行し、
前記吹き抜け部における前記設置階側で、前記タワークレーンのフロアクライミングにより上昇された前記ベース架台に取り付けられている前記上部梁構造物を前記設置階に移設する上部梁構造物移設工程を実行する建物の建築方法。
【請求項２】
前記ベース架台に取り付けられた上部梁構造物が、前記吹き抜け部の横断面略全体に亘って下方側への落下物を防止する落下防止部を有する請求項１に記載の建物の建築方法。
【請求項３】
前記ベース架台に取り付けられた上部梁構造物が、前記上部梁構造物移設工程での作業用足場部を有する請求項１又は２に記載の建物の建築方法。
【請求項４】
前記上部梁構造物取付工程において、前記吹き抜け部における前記タワークレーンの１回目のフロアクライミング前に、定着を解除した前記ベース架台を一旦浮かせた状態で当該ベース架台に前記上部梁構造物を懸垂状態で取り付ける請求項１〜３の何れか１項に記載の建物の建築方法。
【請求項５】
前記上部梁構造物取付工程において、前記ベース架台に対して前記上部梁構造物を懸垂状態で取り付け、
前記上部梁構造物移設工程において、前記ベース架台を前記設置階よりも上方側に定着させた状態で、当該ベース架台に取り付けられている前記上部梁構造物を前記設置階に移設する請求項１〜４の何れか１項に記載の建物の建築方法。
【発明の詳細な説明】
【技術分野】
【０００１】
本発明は、吹き抜け部を有する建物を建築しながら、当該吹き抜け部の所定の設置階に梁を組み付けた上部梁構造物を設置する建物の建築方法に関する。
【背景技術】
【０００２】
高層マンションなどの建物に設けられる吹き抜け部には、所定の設置階に梁を組み付けた上部梁構造物を設置して、当該上部梁構造物を電気室の床として利用する場合がある。
このような上部梁構造物の従来の設置方法は、建物を少なくとも上部梁構造物の設置階までを構築した時点で、当該上部梁構造物を構成するための資材を当該設置階まで揚重し、その資材を吹き抜け部の設置階に組み付ける形態で行われている。
【０００３】
このような吹き抜け部を有する建物の建築工事では、通常吹き抜け部に建築資材を揚重するためのタワークレーンが設置される。
このようなタワークレーンとしては、フロアクライミング式のものが知られている（例えば、特許文献１を参照。）。フロアクライミング式のタワークレーンは、クレーン部をマストに沿って昇降可能な昇降装置を建物躯体に定着させた状態で、マストをベース架台とともに上階側に盛り替えるフロアクライミングを実行可能に構成されている。
【先行技術文献】
【特許文献】
【０００４】
【特許文献１】実開平０４−１０９９８７号公報
【発明の概要】
【発明が解決しようとする課題】
【０００５】
建物の吹き抜け部において、所定の設置階に上部梁構造物を設置する作業は狭小・狭隘な吹き抜け部での作業となるため、作業を効率良く実施することが困難となる。
また、吹き抜け部における設置階での上部梁構造物の設置作業は、その吹き抜け部に設置されているタワークレーンのベース架台が上記設置階よりも上階側に盛り替えられた時点、又は吹き抜け部からタワークレーンが完全に撤去された時点において、タワークレーンとは別に、上部梁構造物を構成する資材を吹き抜け部の設置階に揚重するための揚重装置を準備する必要があり、作業効率の更なる悪化の要因となる。
【０００６】
この実情に鑑み、本発明の主たる課題は、吹き抜け部を有する建物を建築しながら、当該吹き抜け部の所定の設置階に上部梁構造物を設置する建物の建築方法において、狭小・狭隘な吹き抜け部において上部梁構造物を効率良く上方の設置階に設置することができる技術を提供する点にある。
【課題を解決するための手段】
【０００７】
本発明の第１特徴構成は、吹き抜け部を有する建物を建築しながら、当該吹き抜け部の所定の設置階に梁を組み付けた上部梁構造物を設置する建物の建築方法であって、
前記吹き抜け部における前記設置階よりも下方側で、前記吹き抜け部に設置されたフロアクライミング式のタワークレーンのベース架台に予め前記上部梁構造物を取り付ける上部梁構造物取付工程を実行し、
前記吹き抜け部における前記設置階側で、前記タワークレーンのフロアクライミングにより上昇された前記ベース架台に取り付けられている前記上部梁構造物を前記設置階に移設する上部梁構造物移設工程を実行する点にある。
【０００８】
本構成によれば、吹き抜け部を有する建物の建築工事において、例えば狭小・狭隘な吹き抜け部に設置するフロアクライミング式のタワークレーンのベース架台が上部梁構造物の設置階よりも下方側の低層階に位置する時点において、上部梁構造物取付工程を実行することにより、低層階での簡単な作業にてタワークレーンのベース架台に予め上部梁構造物を取り付けておくことができる。すると、建築工事の進行に伴ってタワークレーンのフロアクライミングの実施によりベース架台は段階的に上昇するので、そのベース架台の上昇に伴ってそれに予め取り付けられた上部梁構造物を他の揚重作業を必要とすることなく吹き抜け部の上方の設置階側に上昇させることができる。そして、例えばタワークレーンのベース架台が設置階付近又はその上方に位置する時点において、上部梁構造物移設工程を実行することにより、上昇したベース架台に予め取り付けられていた上部梁構造物を、吹き抜け部の設置階に移設することができる。
従って、本発明により、吹き抜け部を有する建物の建築工事において、狭小・狭隘な吹き抜け部において上部梁構造物を効率良く上方の設置階に設置することができる建物の建築方法を提供することができる。
【０００９】
本発明の第２特徴構成は、前記ベース架台に取り付けられた上部梁構造物が、前記吹き抜け部の横断面略全体に亘って下方側への落下物を防止する落下防止部を有する点にある。
【００１０】
本構成によれば、ベース架台に取り付けられた上部梁構造物が、吹き抜け部の横断面略全体に亘るデッキプレートなどの落下防止部を有するので、別途落下養生を施す必要がなく、吹き抜け部においてベース架台よりも下方側への落下物を防止することができる。
【００１１】
本発明の第３特徴構成は、前記ベース架台に取り付けられた上部梁構造物が、前記上部梁構造物移設工程での作業用足場部を有する点にある。
【００１２】
本構成によれば、ベース架台に取り付けられた上部梁構造物が作業用足場部を有するので、上部梁構造物移設工程において、別途足場を準備することなく、ベース架台に取り付けられた上部梁構造物の作業用足場を利用して、当該上部梁構造物を設置階に移設することができる。
【００１３】
本発明の第４特徴構成は、前記上部梁構造物取付工程において、前記吹き抜け部における前記タワークレーンの１回目のフロアクライミング前に、定着を解除した前記ベース架台を一旦浮かせた状態で当該ベース架台に前記上部梁構造物を懸垂状態で取り付ける点にある。
【００１４】
本構成によれば、１回目のフロアクライミングの前においてタワークレーンのベース架台は例えば１階などの地盤付近の低層階に定着されているので、上部梁構造物取付工程において、その低層階にあるベース架台に対して一層簡単に上部梁構造物を取り付けることができる。また、低層階にて上部梁構造物をタワークレーンのベース架台に取り付けるにあたり、定着を解除したベース架台を一旦浮かせるので、当該浮かせたベース架台に対してその下方側に確保されたスペースに据え付けた上部梁構造物を懸垂状態で簡単に取り付けることができる。
【００１５】
本発明の第５特徴構成は、前記上部梁構造物取付工程において、前記ベース架台に対して前記上部梁構造物を懸垂状態で取り付け、
前記上部梁構造物移設工程において、前記ベース架台を前記設置階よりも上方側に定着させた状態で、当該ベース架台に取り付けられている前記上部梁構造物を前記設置階に移設する点にある。
【００１６】
本構成によれば、タワークレーンのベース架台に対して懸垂状態で上部梁構造物を取り付けるので、上部梁構造物移設工程において、ベース架台を設置階よりも上方側に定着させて安定させた上で、そのベース架台に懸垂状態で取り付けられている上部梁構造物を設置階に安全に移設することができる。
【図面の簡単な説明】
【００１７】
【図１】タワークレーンの昇降装置を利用した作業用足場の盛り替え方法における第１工程（ａ）及び第２工程（ｂ）の状態を示す図
【図２】タワークレーンの昇降装置を利用した作業用足場の盛り替え方法における第３工程（ｃ）及び第４工程（ｄ）の状態を示す図
【図３】タワークレーンにおいて昇降装置に作業用足場を連結した状態を示す図
【図４】タワークレーンの昇降装置を利用した作業用足場の盛り替え方法の別の形態を示す図
【図５】タワークレーンのフロアクライミングに先立って実行される足場上昇工程の第１工程（ａ）及び第２工程（ｂ）の状態を示す図
【図６】タワークレーンのフロアクライミングにおける第１工程（ｃ）及び第２工程（ｄ）の状態を示す図
【図７】タワークレーンのフロアクライミングにおける第３工程（ｅ）及び第４工程（ｆ）の状態を示す図
【図８】タワークレーンのフロアクライミングにおける第５工程（ｇ）を示す図
【図９】タワークレーンのベース架台を建物躯体に定着させた状態を示す図
【図１０】ベース架台に固定された受け梁の干渉回避状態を示す平面図（ａ）、及びベース架台に固定された受け梁の定着状態を示す平面図（ｂ）
【図１１】吹き抜け部を有する建物の状態を説明する図
【発明を実施するための形態】
【００１８】
本発明の実施形態について図面に基づいて説明する。
本実施形態では、建物の建築工事において実施される建物の建築方法及び作業用足場の盛り替え方法について説明する。
図１１に示すように、建築対象となる建物Ａは、高層マンション等のように略中央部に吹き抜け部Ｂを有し、それを囲むように構築される。そして、この建物Ａの吹き抜け部Ｂには、例えば地上側にタワーパーキングＰ等が設置され、その上方部に電気室Ｒ等が設置される。また、この電気室Ｒは、吹き抜け部Ｂを囲う建物躯体Ａ１に対して固定される梁を組み付けた上部梁構造物Ｒ１上に構築される。
【００１９】
そして、このような建物Ａの建築工事において、吹き抜け部Ｂには、図１等に示すように、建築資材を揚重するためのタワークレーンＣや、当該吹き抜け部Ｂを囲う壁部の構築作業を行うための作業用足場Ｓが設けられる。
【００２０】
図３に示すように、作業用足場Ｓは、吹き抜け部Ｂを囲う建物躯体Ａ１の内壁面に沿って平面視で略ロの字状に配置されており、更には、マストＣ５を外囲して内側に昇降装置Ｃ２が上方から進入可能な昇降装置進入空間Ｓ２を有するものとして構成されている。
また、作業用足場Ｓを支持する架台Ｓ１は、建物躯体Ａ１の内壁面に対してブラケット１０を介して定着させることができる。
即ち、吹き抜け部Ｂにおいて、建物躯体Ａ１の内壁面の複数個所にブラケット１０をアンカーボルト等により固定し、そのブラケット１０に対して架台Ｓ１を架設する。そして、その架台Ｓ１の上面に作業用足場Ｓを設置する形態で、作業用足場Ｓを建物躯体Ａ１に定着させることができる。また、このように定着させた作業用足場Ｓの上端部は、作業用足場Ｓの触れ止めのために、ワイヤＳ３を介して建物躯体Ａ１に連結されている。
【００２１】
タワークレーンＣの詳細構成について、図５〜図１０に基づいて以下に説明を加える。
タワークレーンＣには、図５等に示すように、クレーン部Ｃ１をマストＣ５に沿って昇降可能な昇降装置Ｃ２が設けられている。
【００２２】
昇降装置Ｃ２は、一般的なタワークレーンに設けられる公知の昇降装置と同様の構成を有している。例えば、昇降装置Ｃ２は、上部フレーム及び下部フレームのそれぞれをロックピンによりマストＣ５に対して交互に固定又は開放しつつ、油圧ジャッキにより上部フレームと下部フレームとの距離を伸縮させることで、マストＣ５に沿って上昇又は下降するように構成することができる。
【００２３】
図９に示すように、マストＣ５の下端部に設けられたベース架台Ｃ３には、受け梁Ｃ４が固定されており、その受け梁Ｃ４は、吹き抜け部Ｂを囲う建物躯体Ａ１の内壁面に対してブラケット１１を介して定着させることができる。
即ち、吹き抜け部Ｂにおいて、建物躯体Ａ１の内壁面の複数個所にブラケット１１をアンカーボルト等により固定し、そのブラケット１１に対して受け梁Ｃ４を架設する。そして、その受け梁Ｃ４の上面にマストＣ５の下端部に設けられたベース架台Ｃ３を固定することで、当該ベース架台Ｃ３を建物躯体Ａ１に定着させることができる。
【００２４】
図１０に示すように、ベース架台Ｃ３は、マストＣ５の下端部から放射状に張り出したベース部Ｃ３ａと、そのベース部Ｃ３ａの下面側に固定されて両端部が伸縮自在な一対の伸縮梁部Ｃ３ｂとを備えて構成されており、その一対の伸縮梁部Ｃ３ｂの両端部側に受け梁Ｃ４が夫々固定されている。そして、伸縮梁部Ｃ３ｂの両端部を内方に引退させることで、図１０（ａ）に示すように、ブラケット１１が設けられた建物躯体Ａ１の内壁面に対して受け梁Ｃ４を離間させて、鉛直方向におけるブラケット１１と受け梁Ｃ４との干渉を回避できる干渉回避状態とすることができる。一方、伸縮梁部Ｃ３ｂの両端部を外方に突出させることで、図１０（ｂ）に示すように、ブラケット１１が設けられた建物躯体Ａ１の内壁面に対して受け梁Ｃ４を近接させて、ブラケット１１に受け梁Ｃ４を架設可能な定着状態とすることができる。
【００２５】
タワークレーンＣは、図５の（ａ）に示すように、クレーン部Ｃ１をマストＣ５に定着させた状態で、当該クレーン部Ｃ１から昇降装置Ｃ２を切り離し可能に構成されており、その状態において昇降装置Ｃ２がマストＣ５に沿って昇降可能となる。
そして、タワークレーンＣは、詳細については後述するが、クレーン部Ｃ１をマストＣ５に沿って昇降可能な昇降装置Ｃ２を建物躯体Ａ１に定着させた状態で、マストＣ５をベース架台Ｃ３とともに上階側に盛り替えるフロアクライミングを実行可能に構成されたフロアクライミング式に構成されている。
【００２６】
（作業用足場の盛り替え方法）
建物Ａの建築工事では、タワークレーンＣにおいて昇降装置Ｃ２を利用して作業用足場Ｓを昇降させる足場昇降工程を実行する作業用足場Ｓの盛り替え方法が実行される。
以下に、その作業用足場Ｓの盛り替え方法の詳細について、図１，図２に基づいて説明を加える。
【００２７】
図１の（ａ）に示す作業用足場Ｓの盛り替え方法の第１工程では、吹き抜け部Ｂの下層階（例えば１階）に作業用足場Ｓを構築する。このとき、作業用足場Ｓは、上述したようにブラケット１０を介して建物躯体Ａ１に定着させることもできるが、本実施形態では、地上に設けた支持構造体１３上に作業用足場Ｓを構築して、当該支持構造体１３により作業用足場Ｓを支持させる。
また、この第１工程では、タワークレーンＣの昇降装置Ｃ２は、クレーン部Ｃ１に連結された状態で、マストＣ５の上方側に位置している。
【００２８】
次に実行される図１の（ｂ）に示す作業用足場Ｓの盛り替え方法の第２工程では、タワークレーンＣのクレーン部Ｃ１をマストＣ５の上方側に定着させた状態で、当該クレーン部Ｃ１から昇降装置Ｃ２を切り離し、その切り離した昇降装置Ｃ２を下方側の作業用足場Ｓの内側に形成された昇降装置進入空間Ｓ２まで下降させる。この際、作業用足場Ｓにおいて、昇降装置Ｃ２と干渉する部分については、適宜解体しても構わない。
そして、下降させた昇降装置Ｃ２の底部と作業用足場Ｓの架台Ｓ１とを近接させた状態で接続すると共に、作業用足場Ｓを支持していた支持構造体１３（図１の（ａ）参照。）を撤去する。すると、作業用足場Ｓは、昇降装置Ｃ２により支持された状態となる。
【００２９】
次に実行される図２の（ｃ）に示す作業用足場Ｓの盛り替え方法の第３工程では、昇降装置Ｃ２を上昇させることで、その昇降装置Ｃ２に接続された作業用足場Ｓを所定の高さ位置まで上昇させる。尚、この第３工程のように、タワークレーンＣにおいて昇降装置Ｃ２を利用して作業用足場Ｓを昇降させる工程を足場昇降工程と呼ぶ。
そして、作業用足場Ｓを任意の高さ位置まで上昇させた上で、当該作業用足場Ｓを支持する架台Ｓ１を建物躯体Ａ１の内壁面に対してブラケット１０を介して定着させる。
【００３０】
この第３工程において作業用足場Ｓをクレーン部Ｃ１から切り離した昇降装置Ｃ２に連結して上昇させるので、タワークレーンＣのクライミングの時期やそのときのクレーン部Ｃ１の高さに関係なく、作業用足場Ｓを任意の時期で任意の高さに上昇させることができる。よって、タワークレーンＣのクライミング後において作業用足場Ｓの盛り替えを複数回に亘って行うことにより、作業用足場Ｓの小型化が図られている。
尚、本実施形態では、作業用足場Ｓを上昇させて盛り替える形態を説明したが、同様の方法で、作業用足場Ｓを下降させて盛り替えることもできる。
【００３１】
そして、次に実行される図２の（ｄ）に示す作業用足場Ｓの盛り替え方法の第４工程では、上記第３工程において作業用足場Ｓを所定の高さ位置に定着させた状態で当該作業用足場Ｓから昇降装置Ｃ２を切り離す。そして、このように作業用足場Ｓから切り離した昇降装置Ｃ２を、クレーン部Ｃ１側に上昇させて、作業用足場Ｓの内側に形成された昇降装置進入空間Ｓ２から退避させる退避工程を実行する。
そして、この第４工程において、適宜解体した部分を再構築して、作業用足場Ｓの盛り替えを完了することができる。
この第４工程においては、上記退避工程を実行することで、所定の高さ位置に定着させた作業用足場Ｓからその後の作業用足場Ｓでの作業の邪魔になる昇降装置Ｃ２を切り離し、当該切り離した昇降装置Ｃ２を上昇させて退避させることができる。
【００３２】
また、図４に示すように、比較的広い吹き抜け部Ｂに複数（図４では２台）のタワークレーンＣが設置されている場合には、吹き抜け部Ｂを囲う建物躯体Ａ１の内壁面に沿って配置された作業用足場Ｓを、これら複数のタワークレーンＣに設けられた複数の昇降装置Ｃ２を利用して上階側に盛り替えることができる。
即ち、複数の昇降装置Ｃ２を利用して作業用足場Ｓを盛り替える場合には、複数のタワークレーンＣの夫々のクレーン部Ｃ１をマストＣ５の上方側に定着させた状態で、当該クレーン部Ｃ１から切り離した複数の昇降装置Ｃ２を下方側の作業用足場Ｓの内側に形成された昇降装置進入空間Ｓ２まで下降させ、その底部と作業用足場Ｓの架台Ｓ１とを近接させた状態で接続する。そして、当該作業用足場Ｓの底部と接続した複数の昇降装置Ｃ２を同時に上昇させることで、それら複数の昇降装置Ｃ２に接続された作業用足場Ｓを所定の高さ位置まで上昇させることができる。
また、この作業用足場Ｓの盛り替え方法においても、作業用足場Ｓをクレーン部Ｃ１から切り離した昇降装置Ｃ２に連結して上昇させるので、複数のタワークレーンＣの夫々において、作業用足場Ｓの盛り替えタイミングとは別の任意のタイミングで、昇降装置Ｃ２によるクレーン部Ｃ１のクライミングを実行することができる。
【００３３】
（フロアクライミング）
建物Ａの建築工事では、タワークレーンＣにおいてクレーン部Ｃ１をクライミングするためのフロアクライミングが実行される。また、このフロアクライミングに先立って、作業用足場Ｓを最上部に上昇させる足場上昇工程が実行される。
以下に、その足場上昇工程及びそれに続くフロアクライミングの詳細について、図５〜図８に基づいて説明を加える。
【００３４】
図５の（ａ）及び（ｂ）に示す足場上昇工程の第１工程及び第２工程は、フロアクライミングに先立って実行される足場昇降工程であり、この足場昇降工程では、作業用足場Ｓを最上部に上昇させる。即ち、図５の（ａ）に示す第１工程では、吹き抜け部Ｂにおいて、ベース架台Ｃ３を例えば１階などの地盤付近の低層階に定着した状態でタワークレーンＣを設置しており、更には、上述の作業用足場Ｓの盛り替え方法により、吹き抜け部Ｂにおける所定の高さ位置に作業用足場Ｓを定着させている。また、この状態において、ベース架台Ｃ３には既に受け梁Ｃ４が固定されている。
【００３５】
この第１工程では、タワークレーンＣのクレーン部Ｃ１をマストＣ５の上方側に定着させた状態で、当該クレーン部Ｃ１から昇降装置Ｃ２を切り離し、その切り離した昇降装置Ｃ２を下方側の作業用足場Ｓの内側に形成された昇降装置進入空間Ｓ２まで下降させる。そして、下降させた昇降装置Ｃ２と作業用足場Ｓの架台Ｓ１とを近接させた状態で接続すると共に、作業用足場Ｓを支持していたブラケット１０を撤去して、作業用足場Ｓを昇降装置Ｃ２により支持させる。
【００３６】
次に実行される図５の（ｂ）に示す第２工程では、昇降装置Ｃ２を上昇させることで、その昇降装置Ｃ２に接続された作業用足場Ｓを、建築中の建物躯体Ａ１における最上部の高さまで上昇させる。そして、上昇させた作業用足場Ｓを支持する架台Ｓ１を建物躯体Ａ１の内壁面に対してブラケット１０を介して定着させる。更に、昇降装置Ｃ２を作業用足場Ｓから切り離して上昇させてクレーン部Ｃ１に接続する。
そして、上記第１工程及び上記第２工程を実行した上で、後述する第３工程以降の１回目のフロアクライミングが実行されるが、その実行時において、上記作業用足場Ｓが最上部に上昇されているので、作業用足場Ｓが邪魔になることなくベース架台Ｃ３をできるだけ上方に盛り替えることができるようになる。
【００３７】
図６の（ｃ）に示すフロアクライミングの第１工程では、クレーン部Ｃ１のマストＣ５に対する定着を解除した上で、クレーン部Ｃ１に接続された昇降装置Ｃ２を作業用足場Ｓの内側に形成された昇降装置進入空間Ｓ２まで下降させる。そして、この状態において、昇降装置Ｃ２を建物躯体Ａ１に対して建物躯体Ａ１に架設した受け梁Ｃ２ａを介して定着させる。
【００３８】
次に実行される図６の（ｄ）に示すフロアクライミングの第２工程では、受け梁Ｃ４が固定されたベース架台Ｃ３の建物躯体Ａ１に対する定着を解除した状態で昇降装置Ｃ２を作動させてマストＣ５を上昇させ、定着を解除したベース架台Ｃ３を一旦浮かせた状態とする。そして、このように一旦浮かせたベース架台Ｃ３の下方の地盤付近の低層階に、吹き抜け部Ｂの所定の設置階に設置される電気室Ｒ（図１１参照）の床部となる上部梁構造物Ｒ１を側方から挿入する。
【００３９】
次に実行される図７の（ｅ）に示すフロアクライミングの第３工程では、昇降装置Ｃ２を上記第２工程とは逆方向に作動させてマストＣ５を下降させ、吹き抜け部Ｂの低層階に挿入された上部梁構造物Ｒ１の上面にベース架台Ｃ３を近接させる。そして、この状態にて、図９に示すように、ベース架台Ｃ３に対して上部梁構造物Ｒ１を、逆Ｕ字状の枠体１５を用いて懸垂状態で取り付ける。
そして、フロアクライミングの第３工程のように、吹き抜け部Ｂにおける上部梁構造物Ｒ１の設置階よりも下方側の低層階で、タワークレーンＣのベース架台Ｃ３に予め上部梁構造物Ｒ１を取り付ける工程を上部梁構造物取付工程と呼ぶ。即ち、このような上部梁構造物取付工程を実行することで、例えば狭小・狭隘な吹き抜け部Ｂに設置するタワークレーンＣのベース架台Ｃ３が上部梁構造物Ｒ１の設置階よりも下方側の低層階に位置する時点において、低層階での簡単な作業にてベース架台Ｃ３に予め上部梁構造物Ｒ１を取り付けておくことができる。
【００４０】
次に実行される図７の（ｆ）に示すフロアクライミングの第４工程では、昇降装置Ｃ２を作動させてマストＣ５を上昇させて、ベース架台Ｃ３を次の定着階まで上昇させる。このとき、ベース架台Ｃ３の次の定着階には、ベース架台Ｃ３の受け梁Ｃ４を架設するためのブラケット１１が予め建物躯体Ａ１の内壁面の複数個所に固定されており、ベース架台Ｃ３に固定された受け梁Ｃ４を、上述したように建物躯体Ａ１の内壁面から離間させた干渉回避状態（図１０（ａ）に示す状態）として、鉛直方向におけるブラケット１１と受け梁Ｃ４との干渉を回避している。
【００４１】
そして、次に実行される図８の（ｇ）に示すフロアクライミングの第５工程では、ベース架台Ｃ３が定着階まで上昇した時点で、ベース架台Ｃ３に固定された受け梁Ｃ４を、上述したように建物躯体Ａ１の内壁面に近接させた定着状態（図１０（ｂ）に示す状態）として、当該受け梁Ｃ４をブラケット１１に固定して、ベース架台Ｃ３を建物躯体Ａ１に定着させる。
このとき、図９及び図１０（ｂ）に示すように、受け梁Ｃ４のブラケット１１への固定箇所は受け梁Ｃ４よりも外側に位置するのに対し、その固定作業は受け梁Ｃ４の内側に居る作業者により行う必要がある。
【００４２】
そこで、受け梁Ｃ４には、作業用の開口部Ｃ４ａが形成されており、内側に居る作業者がその開口部Ｃ４ａを通じてボルトの締め付け作業等を行うことができる。尚、図示の例では、受け梁Ｃ４において開口部Ｃ４ａが中央部と両端部とに形成されているが、この作業用の開口部Ｃ４ａの形成箇所や形状等については適宜改変することができ、例えば、受け梁Ｃ４を構成する形鋼のフランジ部を切り欠いて形成された切欠き部でも構わない。また、建物躯体Ａ１に作業用の開口部が存在し、建物躯体Ａ１側からその開口部を通じてボルトの締め付け作業等を行うことができる場合には、受け梁Ｃ４に形成した開口部Ｃ４ａは省略しても構わない。
そして、この第４工程において、ベース架台Ｃ３を建物躯体Ａ１に定着させた上で、昇降装置Ｃ２によりクレーン部Ｃ１を所定の高さ位置に上昇させて、フロアクライミングを完了することができる。
【００４３】
更に、上述したフロアクライミングを１乃至複数回実施した段階で、ベース架台Ｃ３が上部梁構造物Ｒ１を設置する設置階を通過して上昇してその設置階よりも上方側に定着させた時点で、当該ベース架Ｃ３台に取り付けられている上部梁構造物Ｒ１を設置階に移設する上部梁構造物移設工程を実行する。
即ち、建築工事の進行に伴ってタワークレーンＣのフロアクライミングの実施によりベース架台Ｃ３は段階的に上昇する。よって、そのベース架台Ｃ３の上昇に伴ってそれに予め取り付けられた上部梁構造物Ｒ１を他の揚重作業を必要とすることなく吹き抜け部Ｂの上方の設置階側に上昇させることができる。そして、例えばベース架台Ｃ３が設置階付近又はその上方に位置する時点において、このような上部梁構造物移設工程を実行することにより、上昇したベース架台Ｃ３に予め取り付けられていた上部梁構造物Ｒ１を、吹き抜け部Ｂの設置階に移設することができる。
【００４４】
尚、この上部梁構造物移設工程は、ベース架台Ｃ３を定着させることなく、フロアクライミングの第４工程（図７の（ｆ）参照）において実施することもできる。即ち、上昇されるベース架台Ｃ３が上部梁構造物Ｒ１を設置する設置階を通過する際に、吹き抜け部Ｂにおける設置階側で、ベース架台Ｃ３の上昇を一旦停止した状態で、そのベース架台Ｃ３に取り付けられている上部梁構造物Ｒ１を設置階に移設することができる。
【００４５】
また、上部梁構造物Ｒ１には、図９に示すように、吹き抜け部Ｂの横断面略全体に亘るデッキプレートＲ１ａが含まれている。そして、このデッキプレートＲ１ａは、タワークレーンＣのベース架台Ｃ３に予め取り付けられていることで、吹き抜け部Ｂの横断面略全体に亘って下方側への落下物を防止する落下防止部として機能することになる。
更に、梁構造物移設工程においては、ベース架台Ｃ３に取り付けられた上部梁構造物Ｒ１やそれに含まれるデッキプレートＲ１ａを、作業用足場部として利用することができる。
【００４６】
また、吹き抜け部Ｂにおける設置階への上部梁構造物Ｒ１の移設作業が完了すると、例えば、その移設された上部梁構造物Ｒ１に含まれるデッキプレート上へのコンクリートの打設作業を行って床部を構築するなどして、電気室Ｒの構築作業を完了する。
【００４７】
〔別実施形態〕
本発明の他の実施形態について説明する。尚、以下に説明する各実施形態の構成は、それぞれ単独で適用することに限らず、他の実施形態の構成と組み合わせて適用することも可能である。
（１）上記実施形態では、タワークレーンＣのベース架台Ｃ３に予め取り付けられて、建物Ａの吹き抜け部Ｂの所定の設置階に移設される上部梁構造物Ｒ１を、電気室Ｒ（図１０参照）の床部として構成されるものとして構成したが、電気室Ｒを構成する他の梁構造物や当該電気室Ｒ以外を構成する梁構造物を、上記上部梁構造物Ｒ１としても構わない。
【００４８】
（２）上記実施形態では、タワークレーンＣのベース架台Ｃ３に予め取り付けられる上部梁構造物Ｒ１にデッキプレートＲ１ａを含めて、それを下方側への落下物を防止する落下防止部として機能させたが、上部梁構造物Ｒ１にデッキプレートＲ１ａを含めずに、当該上部梁構造物Ｒ１を建物Ａの吹き抜け部Ｂの所定の設置階に移設した後に、デッキプレートＲ１ａを設置するように構成しても構わない。
【００４９】
（３）上記実施形態では、梁構造物移設工程において、ベース架台Ｃ３に取り付けられた上部梁構造物Ｒ１を作業用足場部として利用したが、別の足場を設置して上部梁構造物Ｒ１の吹き抜け部Ｂの設置階への移設作業を行っても構わない。
【００５０】
（４）上記実施形態では、吹き抜け部ＢにおけるタワークレーンＣの１回目のフロアクライミング前に、定着を解除したベース架台Ｃ３を一旦浮かせ、その下方に上部梁構造物Ｒ１を設置し、一旦浮かせたベース架台Ｃ３を降下させて、ベース架台Ｃ３に上部梁構造物Ｒ１を懸垂状態で取り付けたが、ベース架台Ｃ３への上部梁構造物Ｒ１の取付方法及び取付タイミングについては、適宜改変しても構わない。例えば、一旦浮かせたベース架台Ｃ３又は２階以上の高さに定着させたベース架台Ｃ３に対して、その下方に設置した上部梁構造物Ｒ１を巻き上げ機等により揚重して取り付けても構わない。
【符号の説明】
【００５１】
Ａ      建物
Ｂ      吹き抜け部
Ｃ      タワークレーン
Ｃ３    ベース架台
Ｒ１    上部梁構造物（作業用足場部、落下防止部）
【図１】
2019157532.tif 000003
【図２】
2019157532.tif 000004
【図３】
2019157532.tif 000005
【図４】
2019157532.tif 000006
【図５】
2019157532.tif 000007
【図６】
2019157532.tif 000008
【図７】
2019157532.tif 000009
【図８】
2019157532.tif 000010
【図９】
2019157532.tif 000011
【図１０】
2019157532.tif 000012
【図１１】
2019157532.tif 000013